(57)【要約】【課題】本発明は、手指関節用として最適な小型で軽量なデジタル角度計を供給することを目的とする。【解決手段】矩形の板状で、長辺に沿った側壁を第１計測面とする第１ガイド２と、矩形の板状で、長辺に沿った側壁を第２計測面とする第２ガイド４と、第１ガイドと第２ガイドの一端側が同一中心軸で軸支され、軸支により開いた第１計測面と第２計測面との角度変化をデジタルで表示する表示部１と、を備え、第１ガイドと第２ガイドは、中心軸の中心から他端までの長さが１２０ｍｍ以下で、第１ガイドと表示部は、固着されている構成となっている。【選択図】図２
2020060546.tif 000002
【特許請求の範囲】
【請求項１】
矩形の板状で、長辺に沿った側壁を第１計測面とする第１ガイドと、
矩形の板状で、長辺に沿った側壁を第２計測面とする第２ガイドと、
前記第１ガイドと前記第２ガイドの一端側が同一中心軸で軸支され、前記軸支により開いた前記第１計測面と第２計測面との角度変化をデジタルで表示する表示部と、を備え、
前記第１ガイドと前記第２ガイドは、全長が１２０ｍｍ以下で、
前記第１ガイドと前記表示部は、固着されていることを特徴とする関節用デジタル角度計。
【請求項２】
前記軸支された前記第１ガイドと前記第２ガイドが閉じた状態において、嵌合する凸部と凹部が前記第１ガイドと前記第２ガイドに形成されていることを特徴とする請求項１に記載の関節用デジタル角度計。
【請求項３】
前記第２ガイドの第２計測面には、前記第１ガイド側に伸びる補助ガイドが設けられていることを特徴とする請求項１に記載の関節用デジタル角度計。
【請求項４】
前記第１ガイドの短辺に沿った側壁、または前記第２ガイドの短辺に沿った側壁の少なくとも一方に延長棒を挿入する挿入穴が設けられていることを特徴とする請求項１に記載の関節用デジタル角度計。
【請求項５】
前記第１、第２ガイドの回転摩擦を調整する回転力調整部を備えたことを特徴とする請求項４に記載の関節用デジタル角度計。
【請求項６】
前記軸支により開いた前記第１計測面と前記第２計測面とが直角となった状態で、前記第１ガイドから突出する第２ガイドの長さ又は第２ガイドから突出する第１ガイドの長さが２０ｍｍ〜４０ｍｍであることを特徴とする請求項１に記載の関節用デジタル角度計。
【請求項７】
前記第１ガイドと前記第２ガイドの軸支側は、半円形の板状となっていることを特徴とする請求項１に記載の関節用デジタル角度計。
【請求項８】
矩形の板状で、長辺に沿った側壁を第１計測面とする第１ガイドと、
矩形の板状で、長辺に沿った側壁を第２計測面とする第２ガイドと、
前記第１ガイドと前記第２ガイドの一端側が同一中心軸で軸支され、前記軸支により開いた前記第１計測面と第２計測面との角度変化をデジタルで表示する表示部と、
を備え、
前記第１ガイドと前記表示部は、固着されており、
前記軸支された前記第１ガイドと前記第２ガイドが閉じた状態において、嵌合する凸部と凹部が前記第１ガイドと前記第２ガイドに形成されていることを特徴とする関節用デジタル角度計。
【請求項９】
矩形の板状で、長辺に沿った側壁を第１計測面とする第１ガイドと、
矩形の板状で、長辺に沿った側壁を第２計測面とする第２ガイドと、
前記第１ガイドと前記第２ガイドの一端側が同一中心軸で軸支され、前記軸支により開いた前記第１計測面と第２計測面との角度変化をデジタルで表示する表示部と、
を備え、
前記第１ガイドと前記表示部は、固着されており、
前記第２ガイドの第２計測面には、前記第１ガイド側に伸びる補助ガイドが設けられていることを特徴とする関節用デジタル角度計。
【発明の詳細な説明】
【技術分野】
【０００１】
本発明は、関節の屈伸角度の計測に適した小型で軽量な関節用デジタル角度計に関する。
【背景技術】
【０００２】
医療分野において、腰や肘や膝の関節の屈伸角度を計測し、治療計画や治療の効果判定が行われている。この腰や肘や膝の屈伸角度を計測する角度計として、非引用文献１や非引用文献２が知られている。
【０００３】
ところで、医療分野において屈伸角度の計測は、腰や肘や膝の関節だけでなく手指の関節でも行われている。しかしながら、腰や肘や膝に用いる大きな角度計は、大き過ぎることから手指の関節の計測には向かない。そこで、手指関節用の角度計として市販されているものに非引用文献３がある。
【０００４】
しかしながら、非引用文献３の角度計や、その他の現在市販されている手指関節用の角度計は、何れも目盛を読み取る方式となっている。手指関節用に限らず目盛を読み取る方式の角度計は、見る角度や人的な読み取り誤差が発生する問題、目盛が小さくて読み取り難いという問題、長期使用で目盛の印刷が剥げるという問題、金属製は反射で読み辛いという問題がある。特に目盛の読み取り難さについては、高齢の医師や看護師にとって、大きな問題となる。
【０００５】
そこでデジタル方式の角度計が考えられるが、手指関節用のデジタル角度計は現在市販されていない。また、市販されてはいないが、開示されている技術としては、引用文献１の手関節用の角度計がある。
【先行技術文献】
【特許文献】
【０００６】
【特許文献１】実用新案登録２５３１６７３号公報
【非特許文献】
【０００７】
【非特許文献１】通販モノタロウホームページ、［online］、松吉医科機器伸縮角度計、［平成３０年７月２１日検索］、インターネット〈URL: https://www.monotaro.com/p/2042/4267/〉
【非特許文献２】株式会社テクノライジングホームページ、［online］、カチカチゴニオ、［平成３０年７月２１日検索］、インターネット〈URL: http://www.techno-rising.co.jp/kachigoni/〉
【非特許文献３】酒井医療株式会社ホームページ、［online］、手指関節可動域の評価、［平成３０年７月２１日検索］、インターネット〈URL: https://www.sakaimed.co.jp/knowledge/hand-therapy/evaluation/evaluation01//〉
【発明の概要】
【発明が解決しようとする課題】
【０００８】
引用文献１は、手の関節専用ということではなく、手のみならず広く肘や膝にも使用できるようになっており、２つのガイドが本体にそれぞれ軸支された構成となっている。このため、２つの軸が必要なことから必然的に本体が大きくなってしまう。また、接点式ロータリーエンコーダであることから、本体が必然的に大きな形状となってしまう。
【０００９】
手指関節用の角度計は、適度に軽く、全体の重さのバランスがとれていた方が持ちやすい。また、医師や看護士のポケットにはペンや聴診器のチェストピースも入れられることがあるので、普段ポケットに入れて持ち歩くには、角度計はできるだけ小さいことが好ましい。また、手指関節の計測に使われるガイドは、長すぎても、短すぎても使い難く、適度な長さが必要となる。
【００１０】
なお、医療用以外の分野において、建築業や製造業で用いるデジタル角度計が市販されているが、これらは当該分野で使いやすいことを前提に作られているため、ガイドが長すぎ、医療分野において使用できるものではない。
【００１１】
そこで、本発明は、手指関節用として最適な小型で軽量な関節用デジタル角度計を提供することを目的とする。また、肘、腰、膝用にも適用することができる関節用デジタル角度計を供給することを目的とする。
【課題を解決するための手段】
【００１２】
上記課題を解決するため、本発明の一つの態様に係る関節用デジタル角度計は、矩形の板状で、長辺に沿った側壁を第１計測面とする第１ガイドと、矩形の板状で、長辺に沿った側壁を第２計測面とする第２ガイドと、前記第１ガイドと前記第２ガイドの一端側が同一中心軸で軸支され、前記軸支により開いた前記第１計測面と第２計測面との角度変化をデジタルで表示する表示部と、を備え、前記第１ガイドと前記第２ガイドは、全長が１２０ｍｍ以下で、前記第１ガイドと前記表示部は、固着されていることを特徴とする。
【００１３】
これにより、第１ガイドと第２ガイドが同一中心軸で軸支されており、第１、第２ガイドは全長が１２０ｍｍ以下であることから、非引用文献１等の手指関節以外の関節を計測する角度計、引用文献１の角度計に比べ、小型で軽量であり、手指関節用のデジタル角度計として最適なものとなっている。従って、ポケットの中に、この関節用デジタル角度計をポケットに入れて持ち歩くこともでき、またポケットの中にペンや、聴診器のチェストピース等を一緒に入れたりすることができる。
【００１４】
また、本発明の関節用デジタル角度計においては、前記軸支された前記第１ガイドと前記第２ガイドが閉じた状態において、嵌合する凸部と凹部が前記第１ガイドと前記第２ガイドに形成されていることが好ましい。これにより、計測時に関節用デジタル角度計を当てた際、安定し、計測し易くなる。
【００１５】
また、本発明の関節用デジタル角度計においては、前記第２ガイドの第２計測面には、前記第１ガイド側に伸びる補助ガイドが設けられていることが好ましい。これにより、計測時に関節用デジタル角度計を当てた際、安定し、計測し易くなる。
【００１６】
また、本発明の関節用デジタル角度計においては、前記第１ガイドの短辺に沿った側壁、または前記第２ガイドの短辺に沿った側壁の少なくとも一方に延長棒を挿入する挿入穴が設けられていることが好ましい。これより、手指関節に最適な関節用デジタル角度計でありながらも、延長棒を挿入穴に挿入して取り付けることにより、指以外の肘や腰などの角度を計測することができる。
また、本発明の関節用デジタル角度計においては、前記第１、第２ガイドの回転摩擦を調整する回転力調整部を備えることが好ましい。
【００１７】
これにより、指の角度計測の時は軽い力で回転できるようにし、肘などの角度計測の時は軽い力では回転しないようにすることができ、関節角度の計測を容易にすることができる。
【００１８】
また、回転摩擦力を調整できることで、第１ガイドと第２ガイドの片方だけを持った際、他方のガイドの自重によって計測角度が変わらないように摩擦力を調整することができる。つまり、開いた状態の第１ガイドと第２ガイドを、そのままの状態で保持しておくことができる。例えば、非特許文献３の角度計は、開いた状態のままで保持しておくことができないため、計測時に注意深く操作を行う必要がある。また、開いた状態のままガイドが保持される点では非特許文献２はガイドの保持が可能ではあるが、非特許文献２の角度計は、５度毎に設けられたＶ字溝により５度毎に計測を行う構成となっている。このため、指関節の治療の経過をみるような場合には、５度毎の計測となるため精密な計測を行うことができない。
【００１９】
また、本発明の関節用デジタル角度計においては、前記軸支により開いた前記第１計測面と前記第２計測面とが直角となった状態で、前記第１ガイドから突出する第２ガイドの長さ又は第２ガイドから突出する第１ガイドの長さが２０ｍｍ〜４０ｍｍであることが好ましい。これにより、関節用デジタル角度計としてとくに指の関節の計測において最適なガイドの長さとすることができる。
【００２０】
また、本発明の関節用デジタル角度計においては、前記第１ガイドと前記第２ガイドの軸支側が、半円形の板状となっていることが好ましい。これにより、関節用デジタル角度計として使いやすいものとなる。
【図面の簡単な説明】
【００２１】
【図１】Ａは第１実施形態に係る関節用デジタル角度計の表面側からの斜視図であり、Ｂはその裏面側からの斜視図である。
【図２】図１Ａの分解斜視図である。
【図３】図１Ｂの分解斜視図である。
【図４】Ａは図１Ａの平面図であり、Ｂは図４Ａの第２ガイドを１８０度開いた状態の平面図である。
【図５】Ａは図４Ａの第２ガイドを９０度開いた状態の平面図であり、Ｂは図４ＡのＶＢ−ＶＢ断面図である。
【図６】Ａは示指の遠位指節間関節の屈曲の測定図であり、Ｂは示指の近位指節間関節の屈曲の測定図であり、Ｃは示指の中手指節間関節の屈曲の測定図である。
【図７】Ａは環指の外転角度の測定図であり、Ｂは母指と示指で摘まむときの両指の先端の近接距離の測定図である。
【図８】Ａは本発明の第２実施形態に係る関節用デジタル角度計の付属品である延長棒を示す斜視図であり、ＢはＡの延長棒が第１ガイドと第２ガイドに差し込まれた斜視図である。
【図９】Ａは第２実施形態に係る関節用デジタル角度計を使用しての肘の屈曲角度の測定図である。
【図１０】Ａは第３実施形態に係る関節用デジタル角度計の表面側からの斜視図であり、Ｂはその裏面側からの斜視図である。
【図１１】図１０Ａの分解斜視図である。
【図１２】図１０Ｂの分解斜視図である。
【図１３】Ａは第３実施形態に係る関節用デジタル角度計の第２ガイドを９０度開いた状態の平面図であり、Ｂは図１３ＡのXIIIＢ−XIIIＢ断面図である。
【図１４】Ａは本発明の第４実施形態に係る関節用デジタル角度計の付属品である延長棒を示す斜視図であり、ＢはＡの延長棒が第１ガイドと第２ガイドに差し込まれた斜視図であり、Ｃは第４実施形態に係る関節用デジタル角度計を使用した手首の屈曲角度の測定図である。
【図１５】Ａは第５実施形態に係る関節用デジタル角度計の表面側からの斜視図であり、ＢはＡの第２ガイドを９０度開いた状態を示す斜視図である。
【図１６】図１５Ａの分解斜視図である。
【図１７】図１６の裏面側から見た分解斜視図である。
【図１８】Ａは図１５Ａの第２ガイドを１８０度開いた状態の平面図であり、ＢはＡの正面図であり、ＣはＡの底面図である。
【図１９】Ａは第６実施形態に係る関節用デジタル角度計の第２ガイドを１８０度開いた状態の背面図であり、ＢはＡの平面図であり、ＣはＢの正面図である。
【図２０】Ａは図１９Ｂの底面図であり、Ｂは図１９Ｂの左側面図であり、Ｃは図１９Ｂの第２ガイドを閉じた状態の平面図である。
【図２１】Ａは第６実施形態に係る関節用デジタル角度計の試作品を使用して示指の近位指節間関節の屈曲の測定を実際に行った平面側からの写真図であり、Ｂは正面側からの写真図である。
【図２２】第６実施形態に係る関節用デジタル角度計の試作品を使用して膝関節の角度の計測を実際に行った写真図である。
【発明を実施するための形態】
【００２２】
以下、実施形態及び図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００２３】
［第１実施形態］
図１〜５を用いて第１実施形態の関節用デジタル角度計（以降、単にデジタル角度計と記す。）１００の要部の構成を説明する。図１Ａは、角度の表示側を表側としたデジタル角度計の表面の斜視図であり、図１Ｂは裏面の斜視図である。図２は、図１Ａの分解斜視図である。図３は、図１Ｂの分解斜視図である。図４Ａは図１Ａの平面図であり、図４Ｂは図４Ａの第２ガイドを１８０度開いた状態の平面図であり、図５Ａは図４Ａの第２ガイドを９０度開いた状態の平面図であり、図５Ｂは図４ＡのＶＢ−ＶＢ断面図である。
【００２４】
図２、図３に示すように、第１実施形態のデジタル角度計１００は、回転軸１２を有する表示部１と、第１ガイド２と、第１ガイド２を表示部１に固着させる４つのタッピングネジ３と、第２ガイド４と、第２ガイド４を表示部１の回転軸１２に係合保持させる一対のボルト５と、回転力調整ツマミ６と、第２ガイド４の回転に摩擦抵抗を生じさせるための厚さ約０．５ｍｍのゴムワッシャ７と、からなる。
【００２５】
表示部１は、本体１１と、その一端に放射状に凸１２１が形成された回転軸１２と、回転軸１２の回転角度の変化を静電容量式でデジタルに変換された数値を表示する７セグメントディスプレイＳＳＤと、電源スイッチＰ１と、表示の数値を保持させたり正負反転させたりする保持／反転スイッチＰ２と、スタートをゼロにリセットするゼロスイッチＰ３と、第１ガイド２を固着させるタッピングネジ３が螺入する４つの下孔（ここでは、貫通あなを「孔」と記し、貫通していないあなを「穴」と記す。）１３と、第２ガイド４を表示部１の回転軸１２に係合保持させるボルト５が貫通する軸孔１４と、第１指標線１５と、第２指標線１６と、後述する摩擦面１７を備えている。
【００２６】
表示部１の概略形状は、図４Ａに示すように、矩形状部分と半円状部分とが一体化した形状であり、表側から見て半長円状になっている。そして、その半円の中心は回転軸１２の回転の中心と一致し、半径が約１２．５ｍｍ（図４ＡのＬ１参照）となっている。また、全長は約６０ｍｍ（図４ＡのＬ２参照）となっている。また、表示部１の厚みＤは約１０ｍｍである。
【００２７】
なお、図示しないが回転軸１２は、回動可能に軸支され、等間隔で配置された複数の回転電極を備え、本体１１には回転電極に対向する位置に固定電極を備えている。この構成により回転軸１２の回転角度の変化を静電容量式でデジタルに変換することができる。
【００２８】
第１ガイド２は、透明な板状の合成樹脂からなる。概略形状は、図２等に示すように、表側から見て表示部１と同一寸法の半長円状となっており、厚みは約４ｍｍである。また、第１ガイド２は、矩形部分の延在方向となる長辺２ａと厚み辺２ｂで形成される２つの平行な側壁の計測面２１と、矩形部分の延在方向の端部となる短辺２ｃと厚み辺２ｂで形成される側壁の端面２２と、を備える。第１ガイド２の角は肌に触れたときの不快感をなくす為、適度に丸くしてある。
【００２９】
そして、第１ガイド２には端面２２の中央に、計測面２１と平行に延びる挿入穴２３が設けられている。この挿入穴２３には後述の第２実施形態で述べる延長棒８が着脱可能に挿入される。また、図３に示すように、第１ガイド２の裏側には計測面２１と平行に延びる直線が印刷されており、この直線が、第１ガイド２の延在方向を示す指標線２４となる。
【００３０】
第１ガイド２は、図３に示すように、表示部１の回転軸１２との当接を避ける為の逃げ孔２５が設けられ、逃げ孔２５の裏側には第１ガイド２と第２ガイド４との間に隙間ができるように、約１ｍｍの高さの輪状の突出部２６が設けられている。そして、第１ガイド２は、表示部１に固着されており、具体的には、図３に示すように、４つのネジ孔２７を貫通するタッピングネジ３で表示部１に螺着される。
【００３１】
第２ガイド４も第１ガイド２と同様に、透明な板状の合成樹脂からなる。概略形状は、図２等に示すように、表示部１と同一寸法の半長円状となっており、厚みは約４ｍｍである。また、第２ガイド４は、矩形部分の延在方向となる長辺４ａと厚み辺４ｂで形成される２つの平行な側壁の計測面４１と、矩形部分の延在方向の端部となる短辺４ｃと厚み辺４ｂで形成される側壁の端面４２と、を備える。第２ガイド４の角は肌に触れたときの不快感をなくす為、適度に丸くしてある。
【００３２】
そして、第２ガイド４には端面４２の中央に、計測面４１と平行に延びる挿入穴４３が設けられている。この挿入穴４３にも後述の第２実施形態で述べる延長棒８が着脱可能に挿入される。また、第２ガイド４の表側および裏側には、計測面４１と平行に延びる直線が印刷され、この直線が第２ガイド４の延在方向を示す指標線４４、４５となる。
【００３３】
また、第２ガイド４には、図２に示すように、表示部１の回転軸１２と係合するために表側に突出する円筒状の係合リブ４６が設けられており、係合リブ４６の先端には、回転軸１２の凸部１２１と係合する凹部４６１が形成されている。
【００３４】
また、第２ガイド４には、第２ガイド４を表示部１の回転軸１２に係合保持させるボルト５が貫通する軸孔４７が形成されており、軸孔４７の表側にはボルト５の頭を沈めるための六角形の座繰り４７１が形成されている。また、第２ガイド４の裏側には、図３に示すように、２つの長辺４ａに沿ってｍｍ単位の２つの目盛４８が印刷されている。
【００３５】
次に、デジタル角度計１００の組み立て方法について説明する。図２、図３の分解斜視図に示すように、第２ガイド４の軸孔４７にボルト５が穿通され、ゴムワッシャ７がボルト５に嵌められ、第１ガイド２と固着された表示部１の軸孔１４にボルト５が穿通され、ボルト５に回転力調整ツマミ６が螺入される。このとき、回転軸１２の放射状に形成された凸部１２１が第２ガイド４の係合リブ４６の凹部４６１に係合するので、第２ガイド４の回転力が回転軸１２に伝達され、回転角度を表示する表示部１のＳＳＤの角度表示が変化する。
【００３６】
また、図５Ｂに示すように、ゴムワッシャ７が、第２ガイド４の係合リブ４６と表示部１の摩擦面１７の間に配設され、回転力調整ツマミ６の締め付け力によって第２ガイド４の回転の摩擦力を調整することができる。この回転力調整は、表示部１の第２指標線１６と回転力調整ツマミ６の目盛り６１を目安に行われる。このように、本実施形態のデジタル角度計１００は、第２ガイド４の回転摩擦を調整する回転力調整部を備える構成となっている。
【００３７】
なお、回転力調整ツマミ６による調整が緩められると、回転力調整ツマミ６がボルト５から外れる方向へわずか移動することになるが、この移動距離は係合リブ４６の凹部４６１が回転軸１２の凸部１２１から外れることはない距離となっている。従って、回転力調整ツマミ６が緩く調整されたとしても第２ガイド４の回転力が回転軸１２に伝達されるため、表示部１での角度表示は問題なく行われることになる。
【００３８】
また、回転力調整部により、第１ガイド２か第２ガイド４の片方のみが持たれても、自重により第１ガイド２と第２ガイド４の開いた角度が変わらないように回転力を調整することができる。これにより、保持／反転スイッチＰ２が操作されなくても計測した角度を保持することができ、計測結果の記録が容易となる。
【００３９】
次に、図６、図７を用いて第１実施形態のデジタル角度計１００の３つの使用例を説明する。図６Ａ、Ｂ、Ｃはそれぞれ示指Ｆ２の遠位指節間関節ＤＩＰ、近位指節間関節ＰＩＰ、中手指節間関節ＭＰの屈曲の測定図である。図７Ａは、環指Ｆ４の外転角度の測定図であり、図７Ｂは母指Ｆ１と示指Ｆ２で摘まむときの先端の距離の測定図である。
【００４０】
第１の使用例として、計測面２１、４１を使用する方法を説明する。この方法はたとえば、指の関節、詳しくは中手指節間関節（ＭＰ）、指節間関節（ＩＰ）、近位指節間関節（ＰＩＰ）、遠位指節間関節（ＤＩＰ）の屈曲の計測に用いられる。
【００４１】
まず、計測者は、電源スイッチＰ１を押して電源をＯＮにする。次に、図４Ｂに示すように、第２ガイド４を１８０度に開いた状態にしてゼロスイッチＰ３を押して表示をゼロにリセットする。なお、第２ガイド４を１８０度に開く状態にするには、第１ガイド２の計測面２１と第２ガイド４の計測面４１をガラスなどの平面に当てればよい。そして、図６に示すように、計測者は、第１ガイド２と第２ガイド４の計測面２１、４１を屈曲された指Ｆの外側に当接させて表示部１の目盛を読み取る。このとき、保持／反転スイッチＰ２を操作させることにより、表示を保持させてもよい。
【００４２】
第２の使用例として、指標線４４を使用する方法を説明する。この方法はたとえば、指Ｆの外転角度の計測に用いられる。まず、使用者は、電源をＯＮにし、図４Ａに示すように、第２ガイド４を収納状態にして表示をゼロにリセットする。そして、計測者は、図７Ａに示すように、開かれた２本の指Ｆの延在方向にそれぞれ指標線１５と指標線４４を合わせて角度を読み取る。
【００４３】
第３の使用例として、目盛４８を使用する方法を説明する。この方法はたとえば、２つの指Ｆの先端の距離の計測に用いられる。計測者は、図７Ｂに示すように、目盛４８を使用して２つの指Ｆの先端の距離を目視で読み取る。
【００４４】
このように、本実施形態の手指関節用のデジタル角度計１００は、表示部１、第１ガイド２、第２ガイド４の寸法はいずれも同じで、幅が約２５ｍｍ、全長が約６０ｍｍと短尺となっている。このため、第１ガイド２、第２ガイド４が、非引用文献１等のような腰や肘、膝用の角度計に比べて非常に短いので、角度計としても非常にコンパクトで軽くなっている。
【００４５】
なお、手指関節用のデジタル角度計１００において、第１ガイド２、第２ガイド４の長さは非常に重要となる。これは、指が不自由な患者には、ガイドが長いと手の甲に当たって指の曲げ角度を計測することができない場合があるためである。
【００４６】
本発明者による様々な検証によると、ガイドの幅が２５ｍｍのデジタル角度計１００で検証したとき、全長が１２０ｍｍまでが長いガイドの限度であり、５０ｍｍでは反対に少し短過ぎて計測が困難であった。そして、ガイドの長さとして最適が５５ｍｍであった。
【００４７】
なお、ガイドの幅２５ｍｍについては、本実施形態以外にも様々なガイドが考えられ、当然ながらガイドの幅が本実施形態と異なることもある。本実施形態のガイドの幅と異なる場合でも、図５Ａの第１ガイド２と第２ガイド４が直角の状態において、他のガイドから突出するガイドの長さＬ３、Ｌ４について、このＬ３、Ｌ４の短い方が２０ｍｍ〜４０ｍｍであれば、手指関節用のデジタル角度計として最適であることを見出した。従って、本実施形態のデジタル角度計１００では、この突出長さが約６０ｍｍ−約２５ｍｍ＝約３５ｍｍとなっている。
【００４８】
また、デジタル角度計１００は、一つの回転軸１２を中心に表示部１と一体の第１ガイド２と、第２ガイド４とが回転する構成となっているため、引用文献１の角度計に比べてもコンパクトな構成となっている。また、表示部１は第１ガイド２、第２ガイド４の幅を超えていないので、胸ポケットに少ない幅の占有領域で入れることができる。例えば、ポケットに角度計と一緒にペンを複数本入れたり、角度計と一緒に聴診器のチェストピースを入れたりすることができる。
【００４９】
なお、本実施形態のデジタル角度計１００では、表示部１と第１ガイド２が別体であったものを固着しているが、表示部１と第１ガイド２が一体化されているもの、つまり同一部材からなるものもここで言う固着に含まれる。そして、表示部１と第１ガイド２を一体にすれば、より小型化でき、より軽量化できる。また、デジタル角度計１００は、表示部１、第１ガイド２、第２ガイド４の形状が何れも同じ形状となっていたが、例えば、表示部１の幅が第１ガイド２、第２ガイド４の幅よりも多少大きくなったり、第１ガイド２、第２ガイド４の長さが、表示部１の長さよりも多少長くなっていたり、しても構わない。
【００５０】
また、本実施形態においては、表示部１、第１ガイド２、第２ガイド４の寸法はいずれも同じで、幅が約２５ｍｍ、全長が約６０ｍｍとなっている。従って、固着する表示部１と第１ガイド２によって、第１ガイド２の計測面２１だけでなく、表示部１の側面（側壁）もこの計測面２１を兼ねることになる。従って、計測面２１の領域が広がるため、デジタル角度計１００を指等の計測箇所に当て易くなり、計測し易い。特にデジタル角度計１００においては、表示部１の本体１１に表示装置や電池等を収容する必要があることから、表示部１にある程度の大きさが必要となってしまう。従って、デジタル角度計１００の設計においては、表示部１の形状を基準に設計することになりやすい。そこで、本実施形態のように、表示部１の寸法にあわせて第１ガイド２、第２ガイド４の大きさを決めることで、デジタル角度計としては、小型化、軽量化を図ることができる。
【００５１】
また、デジタル角度計１００の表示部１、第１ガイド２、第２ガイド４の形状は、矩形状部分と半円状部分とか一体化した形状となっているが、矩形の形状だけで構成することも可能である。ただし、デジタル角度計１００は、回転軸１２を中心として回転可能な構成であることから、本実施形態のように回転軸１２側を半円形の板形状とした方が、使い易さ等の点で好ましい。
【００５２】
［第２実施形態］
次に図８を用いて第２実施形態のデジタル角度計１００Ａの要部の構成について説明する。図８Ａは延長棒８を示す斜視図であり、図８Ｂは図８Ａの延長棒８が第１ガイド２と第２ガイド４に差し込まれた斜視図である。
【００５３】
第２実施形態のデジタル角度計１００Ａは、第１実施形態のデジタル角度計１００に図８Ａに示す付属品となる延長棒８を着脱式のアタッチメントとして２つ追加したものである。延長棒８は、図８Ａに示すように棒状の部材であり、第１ガイド２の端面２２の挿入穴２３と、第２ガイド４の端面４２の挿入穴４３に着脱可能に挿入される。そして、延長棒８は、第１ガイド２と第２ガイド４からそれぞれ約１２０ｍｍ突出している。従って、表示部１の指標線１５、第１ガイド２の指標線２４、第２ガイド４の指標線４４、４５が約１２０ｍｍ延長されたことになる。
【００５４】
図９は、第２実施形態のデジタル角度計１００Ａを用いた第４の使用例を示す図である。この方法は、手指関節の専用として短尺の計測面２１、４１に設計されたデジタル角度計１００を付属の延長棒８を追加することによって、計測面２１、４１を必要としない手指関節以外の関節（たとえば、肘、腰、膝、踵など。）の計測にも適用させる方法である。
【００５５】
まず、使用者は、２つの延長棒８を装着第１ガイド２と第２ガイド４に装着する。この時、回転力調整ツマミ６を回して第２ガイド４の回転力を手指関節の時よりも強くしておくことが好ましい。これは、手指関節用のデジタル角度計１００Ａを開発した本発明者が、このデジタル角度計１００Ａを手指関節以外の関節計測に用いてみようと思い、様々な検証を行った結果、見出したことである。つまり、手指関節以外の関節の計測では、手指関節の計測に比べ第２ガイド４が回転し難い方が計測し易いことを見出した。
【００５６】
次に、電源をＯＮにし、図４Ａに示すように、第２ガイド４を収納状態にして表示をゼロにリセットする。そして、計測者は、図９に示すように、２つの被計測体（図９では上腕Ａ１と前腕Ａ２）の延在方向に２本の延長棒８を合わせて角度を読み取る。
【００５７】
上記のように、発明者の検証によると、手指関節の計測のときは第２ガイド４の回転力が弱い方が使い易く、肘、腰、膝、踵等の計測のときは第２ガイド４の回転力が強い方が使い易い。したがって、第２ガイド４の回転力調整機能は、本実施形態の関節用デジタル角度計１００Ａにとって、非常に有用である。
【００５８】
以上のように、手指関節の角度計測の方法は計測面を当てる方法であり、肘、腰、膝、踵などの関節の角度計測の方法は指標に合わせる方法である。本実施形態のデジタル角度計１００Ａは、手指関節用のデジタル角度計１００に指標となる延長棒８を取り付けることによって、手指関節用に特化しながらも、手指関節以外の関節の計測への適用を可能にしたものである。
【００５９】
なお、延長棒８は、着脱式であるので、さらに長い延長棒８に変更して、所望する長さ、例えば５００ｍｍに延長させることも可能である。また、延長棒８は、伸縮式の釣竿のように伸縮式にすることもできる。
【００６０】
［第３実施形態］
次に図１０〜図１３を用いて第３実施形態のデジタル角度計１００Ｂの要部の構成について説明する。図１０Ａは関節用デジタル角度計１００Ｂの表面側からの斜視図であり、図１０Ｂはその裏面側からの斜視図であり、図１１は図１０Ａの分解斜視図であり、図１２は図１０Ｂの分解斜視図であり、図１３Ａは第３実施形態に係る関節用デジタル角度計の第２ガイドを９０度開いた状態の平面図であり、図１３Ｂは図１３ＡのXIIIＢ−XIIIＢ断面図である。
【００６１】
第３実施形態のデジタル角度計１００Ｂと第１実施形態のデジタル角度計１００の相違点は回転調整部の機構と、第２ガイド４Ｂの長さと、挿入穴２３Ｂ、４３Ｂである。なお、第３実施形態のデジタル角度計１００Ｂにおいては、第１実施形態のデジタル角度計１００と構成が同一の部分については同一の参照符号を付与してその詳細な説明は省略し、構成が異なる同一名の部分については参照符号に添え字「Ｂ」を付す。
【００６２】
図１２、図１３Ｂに示すように、第３実施形態のデジタル角度計１００Ｂの表示部１Ｂは本体１１Ｂと回転軸１２Ｂからなる。図示しないが回転軸１２Ｂは、回動可能に軸支され、等間隔で配置された複数の回転電極を備え、本体１１Ｂには回転電極に対向する位置に固定電極を備えている。この構成により回転軸１２Ｂの回転角度の変化を静電容量式でデジタルに変換することができる。そして、回転軸１２Ｂには表面側に突出する２つの小さな円柱形の凸部１２１Ｂが備えられており、回転と同軸の雌ネジ１２２が形成されている。
【００６３】
図１１、図１２に示すように、第１ガイド２Ｂには端面２２Ｂの中央と両端部の３箇所に、計測面２１Ｂと平行に延びる挿入穴２３Ｂが設けられている。また、第１ガイド２Ｂには表示部１Ｂの回転軸１２Ｂとの当接を避ける為の逃げ孔２５Ｂが設けられている。また、逃げ孔２５Ｂの裏側には第１ガイド２Ｂと第２ガイド４Ｂとの間に隙間ができるように、約１ｍｍの高さの輪状の突出部２６Ｂが設けられている。
【００６４】
第２ガイド４Ｂには端面４２Ｂの中央と両端部の３箇所に、計測面４１Ｂと平行に延びる挿入穴４３Ｂが設けられている。また、第２ガイド４Ｂを回転軸１２Ｂに保持させるボルト５Ｂが貫通するための軸孔４７Ｂが、第２ガイド４Ｂに形成されている。また、軸孔４７Ｂの表側にはボルト５Ｂの頭を沈めるための六角形の座繰り４７１Ｂが形成されている。また、第２ガイド４Ｂの全長Ｌ２Ｂは、第１ガイド２Ｂの全長Ｌ２よりも約５ｍｍ短くなっており約５５ｍｍである。これは第１実施形態で説明したガイドの理想的な長さである。他方、第１ガイド２Ｂは、表示部１Ｂでの操作性や視認性を考慮して、第１実施形態と同様の長さとなっている。
【００６５】
次に、デジタル角度計１００Ｂの組み立て方法について説明する。まず、第１ガイド１Ｂが４つのタッピングネジ３によって表示部１Ｂに螺着される。次いで、第２ガイド４Ｂと回転軸１２Ｂの間に厚さ約５ｍｍのゴムワッシャ７Ｂを挟んでボルト５Ｂが回転軸１２Ｂの雌ネジ１２２に螺入することにより、第２ガイド４Ｂが回転軸１２Ｂに保持される。ボルト５Ｂは、第１ガイド２Ｂの突出部２６Ｂと第２ガイド４Ｂが面で接するまで螺入される。このとき、ゴムワッシャ７Ｂは第２ガイド４Ｂと回転軸１２Ｂに挟まれて圧縮され、回転軸１２Ｂの２つの凸部１２１Ｂがゴムワッシャ７Ｂに食い込む。
【００６６】
このゴムワッシャ７Ｂの食い込みと圧縮の反発力による摩擦によって、第２ガイド４Ｂが回転されると回転軸１２Ｂが回転し、角度が変化する。また、ボルト５Ｂの締め付け力の調整によって、まず、ゴムワッシャ７Ｂの圧縮による膨らみによってゴムワッシャ７Ｂの側面７Ｂａ（図１１、図１３Ｂ参照）と第１ガイド２Ｂの逃げ孔２５Ｂの側面２５Ｂａ（図１１、図１３Ｂ参照）が当接する。この当接により生じる第２ガイド４Ｂの回転抵抗が変化していく。そして、更なるボルト５Ｂの締め付けにより、第１ガイド２Ｂの突出部２６Ｂと第２ガイド４Ｂの面の接触圧力（回転時の摩擦力）が変化して、第２ガイド４Ｂの回転抵抗が変化する。このように本実施形態は、二段式での無段階の回転調整部となっている。また、ボルト５Ｂは、第２ガイド４Ｂの回転力調節ネジとなる。
【００６７】
なお、第１ガイド２Ｂの突出部２６Ｂと第２ガイド４Ｂの間には何も挟まれていないが、ボルト５Ｂの調整範囲を広げるために、突出部２６Ｂと第２ガイド４Ｂの間に弾性体などを挟んでもよい。このように、第３実施形態の１本のボルト５Ｂによって、第２ガイド４Ｂの回転軸１２Ｂへの取り付けと、回転力の調節を行うことができる。
【００６８】
［第４実施形態］
次に図１４を用いて第４実施形態のデジタル角度計１００Ｃの構成と使用方法について説明する。図１４Ａは延長棒８Ｃを示す斜視図であり、図１４Ｂは図１４Ａの延長棒８Ｃが第１ガイド２Ｂと第２ガイド４Ｂに差し込まれた斜視図であり、図１４Ｃは手首Ａ３の屈曲角度の測定図である。なお、第１実施形態のデジタル角度計１００と構成が同一の部分については同一の参照符号を付与してその詳細な説明は省略し、構成が異なる同一名の部分については参照符号に添え字「Ｃ」を付す。
【００６９】
延長棒８Ｃは、第１ガイド２Ｂの端面２２Ｂの挿入穴２３Ｂや第２ガイド４Ｂの端面４２Ｂの挿入穴４３Ｂに嵌入する円柱状の嵌入部８１と、挿入後も露出する円柱状の露出部８２からなる。延長棒８Ｃの露出部８２の直径Ｄ１は、嵌入部８１の直径Ｄ２よりも長く、第１ガイド２の端面２２Ｂの厚み辺２ｂＢおよび第２ガイド４Ｂの端面４２Ｂの厚み辺４ｂＢと同じ寸法である。また、露出部８２の長さは、約６０ｍｍである。なお、露出部８２の長さは必要に応じて変更することができる。
【００７０】
第１ガイド２Ｂの挿入穴２３Ｂは、端面２２Ｂの中央と両端の計３つ設けられており、同様に第２ガイド４Ｂの挿入穴４２Ｂも、端面４２Ｂに３つ設けられている。そして、延長棒８Ｃは、適宜必要に応じて、必要な位置の挿入穴２３Ｂ、挿入穴４３Ｂに必要数挿入される。
【００７１】
図１４Ｂは、図１４Ｃの手首Ａ３の屈曲角度を計測する場合の延長棒８Ｃの挿入位置を示す図である。図１４Ｃに示すように、第２ガイド４Ｂを計測するように開き、ＳＳＤの表字文字が正立で見える状態で、人体側の第１ガイド２の挿入穴２３Ｂと第２ガイド４の挿入穴４３Ｂに延長棒８Ｃが挿入される。
【００７２】
手首Ａ３の屈曲角度の計測は、特許文献１の第８図Ａに示されるように、前腕Ａ２と甲Ａ４に２つの計測面を当てて行われる。しかしながら、手指関節用である第３実施形態のデジタル角度計１００Ｂでは、第１ガイド２Ｂの計測面２１Ｂと、第２ガイド４Ｂの計測面４１Ｂが短いために、手首Ａ３での屈曲角度の計測が難しい。
【００７３】
そこで、図１４Ｂ、図１４Ｃに示すように、延長棒８Ｃをデジタル角度計１００Ｂに挿入する。この時、延長棒８Ｃが挿入される端部の挿入穴２３Ｂ、４３Ｂは、挿入された延長棒８Ｃと、計測面２１Ｂ、４１Ｂとが面一となる位置に設けられている。従って、延長棒８Ｃの挿入によって、計測面２１Ｂ、４１Ｂの長さを延長させることができる。
なお、挿入穴２３Ｂ、４３Ｂは、ガイド端面の中央にも設けられていることから、使用者の好みや、計測箇場所によっては中央の挿入穴を用いても構わない。
【００７４】
［第５実施形態］
図１５〜図１７を用いて第５実施形態のデジタル角度計１００Ｄを説明する。図１５Ａは表面側からの斜視図であり、図１５Ｂは第２ガイド４Ｄを９０度開いた状態を示す斜視図である。図１６は図１５Ａの分解斜視図である。図１７は図１６の裏面側から見た分解斜視図である。図１８Ａは第２ガイド４Ｄを１８０度開いた状態の平面図であり、図１８Ｂは図１８Ａの正面図であり、図１８Ｃは図１８Ａの底面図である。なお、他の実施形態のデジタル角度計と構成が同一の部分については同一の参照符号を付与してその詳細な説明は省略し、構成が異なる同一名の部分については参照符号に添え字「Ｄ」を付す。
【００７５】
第５実施形態のデジタル角度計１００Ｄは、図示するように第１ガイド２Ｄの中央に２つの同心円弧で切り欠かれた凹部２８が形成されている。また、第２ガイド４Ｄには、第１ガイド２Ｄの凹部２８に嵌入する凸部４９が形成されている。
【００７６】
このように、第１ガイド２Ｄと第２ガイド４Ｄの対向面に設けられた第１ガイド２Ｄの凹部２８と、第２ガイド４Ｄの凸部４９は、図１５Ａに示すように、第１ガイド２Ｄと第２ガイド４Ｄが閉じた状態で互いに嵌合するようになっている。
【００７７】
そして、第１ガイド２Ｄに凹部２８を、第２ガイド４Ｄに凸部４９を設けておくことで、第１ガイド２Ｄと第２ガイド４Ｄとが回転する軸１２３の軸方向と直交する方向において、互いの計測面に重なる領域（図１８Ｂの幅Ｗ１領域の斜線部分）が出来る。
【００７８】
つまり、図１８Ｂに示すように、第１ガイド２Ｄと第２ガイド４Ｄとが開いた状態において、第１ガイド２Ｄの計測面２１Ｄと、第２ガイド４Ｄの凸部４９の計測面４１Ｄとに、互いに重なる部分（図１８Ｂの幅Ｗ１領域の斜線部分）が出来ることになる。
【００７９】
第１実施形態から第４実施形態においては、第１ガイド２と第２ガイド４の対向面に本実施形態のような凹部と凸部は設けられていない。このようなデジタル角度計１００を用いて、例えば指の関節を図６のように計測すると、計測面２１と計測面４１とに重なる領域がないために、指に当てたデジタル角度計１００が安定し難い。特に指が細い場合には、デジタル角度計１００を強く指に当てようとするとバランスをとり難く傾きやすくなるため、計測し難くなるおそれがある。
【００８０】
一方、本実施形態のように、第１ガイド２Ｄと第２ガイド４Ｄの対向面に互いに嵌合する凹部２８と凸部４９を設けておくことで、第１ガイド２Ｄの計測面２１Ｄと第２ガイド４Ｄの計測面４１Ｄに重なる部分ができるため、指に当ててもデジタル角度計１００Ｄが安定し、計測し易くなる。
【００８１】
特に本発明のようなデジタル角度計の場合には、表示部１の本体１１に表示装置や電池等を収容する必要があることから、表示部１にある程度の大きさが必要となってしまう。従って、デジタル角度計１００を小型化しようとすると、実施形態のように第１ガイド２や第２ガイド４の形状は、表示部１の形状にあわせることになりやすい。つまり表示部１の形状を基準にして第１ガイド２や第２ガイド４の設計を行うことになる。
【００８２】
このような場合に、第２ガイド４の厚みを、表示部１の厚みと第１ガイド２の厚みを合わせた厚みにしてしまうと（第１ガイド２側と第２ガイド４側とを同じ厚みとすると）、デジタル角度計１００が必要以上に厚くなってしまうことになる。従って、デジタル角度計１００をできるだけ小型化しようとすると、実施形態のように第１ガイド２側と第２ガイド４側の厚みを非対称にすることになる。
【００８３】
このようなデジタル角度計において、第１実施形態から第４実施形態のように第１ガイド２と第２ガイド４の対向面に凹部と凸部が設けられていなければ、上記のように計測時にバランスを崩し易くなる。
【００８４】
一方、本実施形態のように第１ガイド２Ｄと第２ガイド４Ｄの対向面に互いに嵌合する凹部２８と凸部４９を設けておくことで、計測時に安定して計測し易くなる。つまり、本実施形態のように第１ガイド２Ｄと第２ガイド４Ｄに凹部２８と凸部４９を設けておくことで、小型で、かつ、計測し易いデジタル角度計１００Ｄを実現することができる。
【００８５】
なお、本実施形態においては第１ガイド２Ｄ側に凹部２８を、第２ガイド４Ｄ側に凸部４９を設けていたが、逆に設けても構わない。しかしながら、第１ガイド２Ｄは表示部１Ｄが固着されていることから凹部２８によって薄い部分ができたとしても強度低下のおそれは少ない。一方、第２ガイド４Ｄに凹部を設けると、凹部による薄い部分で第２ガイド４Ｄの強度が低下するおそれがある。従って、小型化や強度の点で、本実施形態のように第１ガイド２Ｄに凹部２８を、第２ガイド４Ｄに凸部４９を設けておくのがよい。
【００８６】
また、本実施形態においては凸部４９の設けられている第２ガイド４Ｄの長さがこの凸部４９までとなっており、第１ガイド２Ｄよりも短くなっている。当然ながら、第１実施形態から第４実施形態のように第１ガイド２と第２ガイド４の長さを同じにすることもできる。しかしながら、第１ガイド２Ｄの側壁に挿入穴２３Ｄや、第２ガイド４Ｄの側壁に挿入穴４３Ｄを設ける場合、本実施形態のように第２ガイド４Ｄの長さを短くし、厚い凸部４９の側面に挿入穴４３Ｄを設けておくのがよい。
【００８７】
［第６実施形態］
図１９〜図２０を用いて第６実施形態のデジタル角度計１００Ｅを説明する。図１９Ａは第２ガイドを１８０度開いた状態の背面図であり、図１９Ｂは図１９Ａの平面図であり、図１９Ｃは図１９Ｂの正面図である。図２０Ａは図１９Ｂの底面図であり、図２０Ｂは図１９Ｂの左側面図であり、図２０Ｃは図１９Ｂの第２ガイド２Ｅを閉じた状態の平面図である。なお、他の実施形態のデジタル角度計と構成が同一の部分については同一の参照符号を付与してその詳細な説明は省略し、構成が異なる同一名の部分については参照符号に添え字「Ｅ」を付す。
【００８８】
第６実施形態のデジタル角度計１００Ｅは、第５実施形態のデジタル角度計１００Ｄと同じように、第１ガイド２Ｅに凹部２８が、第２ガイド４Ｅに凸部４９が設けられているとともに、図示するように第２ガイド４Ｅの計測面４１Ｅに、第１ガイド２Ｅ側に伸びる補助ガイド９０が設けられている。なお、図１９Ｂ、１９Ｃ、及び図２０においては、補助ガイド９０をわかり易くする為に実線のクロス斜線で示している。
【００８９】
第５実施形態のデジタル角度計１００Ｄにおいては、計測時にデジタル角度計１００Ｄが安定し、計測し易くするため、凹部２８と凸部４９を設けて、第１ガイド２Ｄの計測面２１Ｄと第２ガイド４Ｄの計測面４１に重なる部分をつくったが、この補助ガイド９０も計測時にデジタル角度計１００Ｅが安定するために設けたものである。
【００９０】
本実施形態のように、第２ガイド４Ｅの計測面４１Ｅに補助ガイド９０を設けておくことで、図１９に示すように、第１ガイド２Ｅと第２ガイド４Ｅとが回転する軸１２３の軸方向と直交する方向において、第１ガイド２Ｅに固着された表示部１Ｅの側面（側壁）とも重なる領域が出来るため、計測の際により一層デジタル角度計１００Ｅが安定することになり、計測し易くなる。
【００９１】
図２１Ａは、補助ガイド９０を備えたデジタル角度計１００Ｅの試作品を使用して、示指Ｆ２の近位指節間関節（ＰＩＰ）の屈曲の測定を行っている平面側からの実際の写真であり、図２１Ｂは正面側からの写真である。なお、この試作品は、図１９、２０のデジタル角度計１００Ｅの表示部１Ｅとは、電源スイッチ等の配置は異なる。
【００９２】
このように、第２ガイド４Ｅの計測面４１Ｅに補助ガイド９０を設けておくことで、表示部１Ｅの側面にまで重なる領域が出来るため、計測時のデジタル角度計１００Ｅが非常に安定することになる。
【００９３】
なお、デジタル角度計１００Ｅを使用する際には、図１９Ｂに示すようにまず第１ガイド２Ｅと第２ガイド４Ｅを開いた状態にし、次に第１ガイド２Ｅの計測面２１Ｅと補助ガイド９０の下面とを例えば机の上に平行に置き（この時、第２ガイド４Ｅの計測面４１Ｅは机の上面に対して補助ガイド９０の厚みにより少し斜めとなる）、この状態で表示部１Ｅのゼロスイッチを用いて表示をゼロにリセットして計測を行う。
【００９４】
また、本実施形態においては、この補助ガイド９０は、第２ガイド４Ｅから着脱できるように構成されている。具体的には、図１９Ｂ、図２０Ｂに示すように、補助ガイド９０は、ガイド部９１と嵌合部９２からなる。そして、この嵌合部９２は先端に半円形状の突起９４を有するツメ９５を備え、このツメ９５の先端の突起９４は切欠き９６により、撓み易くなっている。また、図１９Ｂから見て、第２ガイド４Ｅの先端の下方には補助ガイド９０の嵌合部９２が嵌入するガイド穴４Ｌが形成されている。このガイド穴４Ｌは、ツメ９５の撓みを利用して、適度な力で補助ガイド９０を着脱できるような寸法となっている。
【００９５】
また、補助ガイド９０は、必ずしも着脱できる構成である必要はなく、嵌合部９２を設けず、第２ガイド４Ｅと一体に設けても構わない。また、本実施形態では補助ガイド９０は、図１９Ｂから見て、第２ガイド４Ｅの先端下方に着脱可能に設けられていたが、第２ガイド４Ｅの先端上方にも着脱できるような構成としても構わない。
【００９６】
また、本実施形態のデジタル角度計１００Ｅの使用例を図２１に示したが、このような使い方に限定されるものではない。例えば、第２ガイド４Ｅの補助ガイド９０のない側の計測面４１Ｅを利用して計測することも勿論可能である。また、この他にもデジタル角度計１００Ｅは、デジタル式の角度計であることからゼロスイッチにより任意の状態をゼロにリセットすることで、その状態を基準にして計測を行うこともできる。また、図２２には、デジタル角度計１００Ｅの試作品に延長棒８Ｅを取り付けて膝関節の角度の計測を行っている実際の写真である。デジタル角度計１００Ｅは、手指関節以外の関節の計測にも使用することができる。
【００９７】
また、本実施形態においては、図２０Ａに示すように、第２ガイド４Ｅの円弧面には複数の半円柱状の滑り止め４Ｓを形成している。この滑り止め４Ｓにより、第２ガイド４Ｅの回転の操作が容易となっている。また、この滑り止め４Ｓはギザギザのローレットでもよい。
【００９８】
以上のように、本発明の関節用デジタル角度計は、小型で軽量であり、手指関節用の計測に最適なものとなっており、ポケットの中に入れて簡単に持ち歩くこともができる。また、手指関節用のデジタル角度計でありながらも、指以外の肘や腰などの角度を計測することができる。
【符号の説明】
【００９９】
１００：デジタル角度計
１：表示部
１２：回転軸
２：第１ガイド
２１：計測面
２８：凹部
４：第２ガイド
４１：計測面
４９：凸部
６：回転力調整ツマミ
８：延長棒
９０：補助ガイド
【図１】
2020060546.tif 000003
【図２】
2020060546.tif 000004
【図３】
2020060546.tif 000005
【図４】
2020060546.tif 000006
【図５】
2020060546.tif 000007
【図６】
2020060546.tif 000008
【図７】
2020060546.tif 000009
【図８】
2020060546.tif 000010
【図９】
2020060546.tif 000011
【図１０】
2020060546.tif 000012
【図１１】
2020060546.tif 000013
【図１２】
2020060546.tif 000014
【図１３】
2020060546.tif 000015
【図１４】
2020060546.tif 000016
【図１５】
2020060546.tif 000017
【図１６】
2020060546.tif 000018
【図１７】
2020060546.tif 000019
【図１８】
2020060546.tif 000020
【図１９】
2020060546.tif 000021
【図２０】
2020060546.tif 000022
【図２１】
2020060546.tif 000023
【図２２】
2020060546.tif 000024